(57)【要約】【課題】分割された固定子鉄心に主巻線および補助巻線が渡り線を介し連続に巻装される固定子において、巻線機設備および治具を複雑な構造にすることなく、取り扱いが容易となり、品質の向上が実現できるコンデンサ電動機の固定子の提供を目的とする。【解決手段】８個に分割された分割鉄心体２に装着する絶縁体ａ１６、絶縁体ｂ２１のうち、絶縁体ｂ２１の内壁部１７の上部に、周方向に延設する翼部２２を設けて、この翼部２２に主巻線５および補助巻線９の渡り線６、１０を係止しながらそれぞれ４個連続に直巻巻装する構成とすることにより、渡り線６、１０が確実に保持され、主巻線群８と補助巻線群１２が独立して形成でき、これらを環状に配列しての組み合わせ時の取り扱いが容易になり、作業の簡略化が図られるコンデンサ電動機の固定子が得られる。【選択図】図１
2006101661.tif 000002
【特許請求の範囲】
【請求項１】
円筒状のハウジングと、このハウジング内部に嵌装される固定子と回転自在に支持される回転子とからなり、前記固定子は、磁極をなす歯部を磁路を形成する継鉄部で８個に分割して所定枚数積層固着してなる分割鉄心体を形成し、この分割鉄心体に絶縁体物を装着した上に集中巻で渡り線を介し主巻線を４個連続に直巻巻装した主巻線巻装体と、前記分割鉄心体の積層上下方向から絶縁体物を装着し、集中巻で渡り線を介し補助巻線を４個連続に直巻巻装した補助巻線巻装体とよりなり、前記４個の主巻線巻装体を環状に配列した主巻線群と、前記４個の補助巻線巻装体を環状に配列した補助巻線群とを、前記主巻線巻装体と補助巻線巻装体とが交互に環状に配列されるように組み合わせ固着し、隣接する巻線間の内周側に樹脂成型品からなるスロット開口楔と、外周側に絶縁フィルムを挿入してなるものであって、前記分割鉄心体の１個に装着する絶縁体物は、内壁部の両端部に分割鉄心体の積層方向に前記スロット開口楔が挿入できる空間部を形成するとともに外壁部の両端に分割鉄心体の積層方向に前記絶縁フィルムが挿入できる空間部を形成する絶縁体ａと、内壁部の両端部に分割鉄心体の積層方向に前記スロット開口楔が挿入できる空間部を形成するとともに外壁部の両端に分割鉄心体の積層方向に前記絶縁フィルムが挿入できる空間部を形成し、この内壁部の上部に周方向に延設する翼部を設けた絶縁体ｂとからなり、一方の巻線巻装体、たとえば主巻線巻装体の上面に絶縁体ａ、下面に絶縁体ｂを装着し、他方の巻線巻装体、たとえば補助巻線巻装体の上面に絶縁体ｂ、下面に絶縁体ａを装着するとともに各々巻線巻装体の渡り線を絶縁体ｂの翼部に係止してなるコンデンサ電動機の固定子。
【請求項２】
絶縁体ｂの翼部は、主巻線巻装体と補助巻線巻装体とが交互に環状に配列されるように組み合わせ固着した状態において、隣接する絶縁体ａの内壁部より外側に位置してなる請求項１記載のコンデンサ電動機の固定子。
【請求項３】
絶縁体ｂの翼部に主巻線および補助巻線の渡り線を位置決め保持するために、複数個の鍵状の爪部を設けてなる請求項１または２記載のコンデンサ電動機の固定子。
【請求項４】
絶縁体ｂの翼部に設ける鍵状の爪部は、分割鉄心体の積層上下方向に２段以上形成し、主巻線巻装体または補助巻線巻装体に別の巻線、たとえば速調巻線を巻装する場合においてもそのそれぞれの渡り線が接触することなく位置決め保持が可能となる請求項１〜３いずれかに記載のコンデンサ電動機の固定子。
【請求項５】
絶縁体ａと絶縁体ｂのそれぞれの外壁部の両端部で分割鉄心体の積層方向上部に、挿入する絶縁フィルムの先端部が当接する庇部を設けてなる請求項１記載のコンデンサ電動機の固定子。
【請求項６】
巻線間の内周側に挿入する樹脂成型品からなるスロット開口楔の断面形状が、隣接する絶縁体ａ、絶縁体ｂの内壁部で形成される空間部の断面形状とほぼ等しく、このスロット開口楔の長手方向両端に抜け止めとなる延設部を設けてなる請求項１記載のコンデンサ電動機の固定子。
【請求項７】
絶縁体ａと絶縁体ｂの内壁部の両端に分割鉄心体の積層上下方向に段部を設け、この段部に前記スロット開口楔に設ける延設部が当接する構成の請求項１または６記載のコンデンサ電動機の固定子。
【発明の詳細な説明】
【技術分野】
【０００１】
本発明は、電動機に係り、特に扇風機、換気扇その他のファン駆動用に使用される継鉄部と歯部とが一体でスロット数と同数に分割した分割鉄心体を用いたコンデンサ電動機の固定子に関する。
【背景技術】
【０００２】
従来、この種のコンデンサ電動機の固定子は、下記特許文献１に開示されたものがある。当該電動機は、図１２〜図１４にて示すごとく、主巻線１０１は環状に保持された極数個の分割鉄心体１０２の各々に絶縁体１０３を装着後に主渡り線側の渡り線１０４Ａを介して連続的に巻回されて主巻線巻装体１０５が形成され、同様に補助巻線１０６も環状に保持された極数個の分割鉄心体１０２の各々に絶縁体１０３を装着後に補助巻線側の渡り線１０４Ｂを介して連続的に巻回されて補助巻線巻装体１０７が形成され、前記主巻線巻装体１０５と補助巻線巻装体１０７を軸方向に移動組立し固定子１０８を構成していた。
【特許文献１】特開２０００−２５３６０３号公報
【発明の開示】
【発明が解決しようとする課題】
【０００３】
このような従来のコンデンサ電動機の固定子では、装着した絶縁体には渡り線の保持機構がないため、渡り線の保持は巻線機の構造部分にその機構を持たせる必要があり、巻線機設備または治具の構造が複雑になるという課題があった。また、その状態において主巻線巻装体と補助巻線巻装体を軸方向に環状に組み合せて固定子を形成するとき、前記渡り線の処理が複雑になるばかりでなく、使用する巻線の線径が極めて小さい場合は僅かな組付け差によっては渡り線の断線に至り、加工工程不良の発生につながるという課題があり、渡り線保持を簡略化することが要求されている。
【０００４】
本発明は、このような従来の課題を解決するものであり、巻線機設備および治具の構造を簡略化し、主巻線巻装体と補助巻線巻装体の組み合わせ時の取り扱いが容易となり、加工工程における品質の向上が実現できるコンデンサ電動機の固定子を提供することを目的とする。
【０００５】
また、このような従来のコンデンサ電動機の固定子では、電動機の高効率化を図るために一般的に主巻線および補助巻線の巻装量を増やすことになるが、この場合巻線と分割鉄心体の必要な絶縁距離の確保が困難になるという課題があり、容易かつ確実に絶縁距離が確保できるような構造が要求されている。さらに、昨今の電気関連分野の国際規格である国際電気標準会議規格（以下、ＩＥＣ規格）では、電動機を搭載した送風用電気機器においては、容易にその電気機器の羽根が取り外し可能で人が回転子の軸に容易に触れる場合では、電動機の固定子巻線と回転子の絶縁距離が強化されていることが訴求されている。
【０００６】
本発明はこのような従来の課題を解決するものであり、巻線の巻装量が増加した場合でも巻線と分割鉄心体との絶縁距離確保が容易に行なうことができるとともに、巻線と回転子との絶縁距離確保が容易かつ確実に行なうことができるコンデンサ電動機の固定子を提供することを目的とする。
【課題を解決するための手段】
【０００７】
本発明のコンデンサ電動機の固定子は上記目的を達成するために、円筒状のハウジングと、このハウジング内部に嵌装される固定子と回転自在に支持される回転子とからなり、前記固定子は、磁極をなす歯部を磁路を形成する継鉄部で８個に分割して所定枚数積層固着してなる分割鉄心体を形成し、この分割鉄心体に絶縁体物を装着した上に集中巻で渡り線を介し主巻線を４個連続に直巻巻装した主巻線巻装体と、前記分割鉄心体の積層上下方向から絶縁体物を装着し、集中巻で渡り線を介し補助巻線を４個連続に直巻巻装した補助巻線巻装体とよりなり、前記４個の主巻線巻装体を環状に配列した主巻線群と、前記４個の補助巻線巻装体を環状に配列した補助巻線群とを、前記主巻線巻装体と補助巻線巻装体とが交互に環状に配列されるように組み合わせ固着し、隣接する巻線間の内周側に樹脂成型品からなるスロット開口楔と、外周側に絶縁フィルムを挿入してなるものであって、前記分割鉄心体の１個に装着する絶縁体物は、内壁部の両端部に分割鉄心体の積層方向に前記スロット開口楔が挿入できる空間部を形成するとともに外壁部の両端に分割鉄心体の積層方向に前記絶縁フィルムが挿入できる空間部を形成する絶縁体ａと、内壁部の両端部に分割鉄心体の積層方向に前記スロット開口楔が挿入できる空間部を形成するとともに外壁部の両端に分割鉄心体の積層方向に前記絶縁フィルムが挿入できる空間部を形成し、この内壁部の上部に周方向に延設する翼部を設けた絶縁体ｂとからなり、一方の巻線巻装体、たとえば主巻線巻装体の上面に絶縁体ａ、下面に絶縁体ｂを装着し、他方の巻線巻装体、たとえば補助巻線巻装体の上面に絶縁体ｂ、下面に絶縁体ａを装着するとともに各々巻線巻装体の渡り線を絶縁体ｂの翼部に係止してなる構成としたものである。また、この絶縁体ｂの翼部は、主巻線巻装体と補助巻線巻装体とが交互に環状に配列されるように組み合わせ固着した状態において、隣接する絶縁体ａの内壁部より外側に位置してなる構成である。さらに、絶縁体ｂの翼部に主巻線および補助巻線の渡り線を位置決め保持するために、複数個の鍵状の爪部を設けた構成であり、この鍵状の爪部は、分割鉄心体の積層上下方向に２段以上形成したものである。
【０００８】
この手段により、渡り線保持を簡略化することができ、巻線機設備および治具の構造を簡略化し、主巻線巻装体と補助巻線巻装体も組み合わせ時の取り扱いが容易となり、加工工程における品質の向上が実現できるコンデンサ電動機の固定子が得られる。
【０００９】
また、本発明のコンデンサ電動機の固定子は上記目的を達成するために、分割鉄心体の１個に装着する絶縁体ａと絶縁体ｂはともに、内壁部の両端部に分割鉄心体の積層方向にスロット開口楔が挿入できる空間部を形成するとともに外壁部の両端に分割鉄心体の積層方向に絶縁フィルムが挿入できる空間部を形成し、さらに絶縁体ａ、ｂの外壁部の両端部で分割鉄心体の積層方向上部に、挿入する絶縁フィルムの先端部が当接する庇部を設けたものである。また、巻線間の内周側に挿入する樹脂成型品からなるスロット開口楔の断面形状が、隣接する絶縁体ａ、絶縁体ｂの内壁部で形成される空間部の断面形状とほぼ等しく、このスロット開口楔の長手方向両端に抜け止めとなる延設部を設けた構成であり、さらに、絶縁体ａと絶縁体ｂの内壁部の両端に分割鉄心体の積層上下方向に段部を設け、この段部に前記スロット開口楔に設ける延設部が当接する構成としたものである。
【００１０】
この手段により、巻線の巻装量が増加した場合でも巻線と分割鉄心体、巻線と回転子との絶縁距離確保が容易に行なうことができ、また絶縁フィルムやスロット開口楔の係止が確実にできるコンデンサ電動機の固定子が得られる。
【発明の効果】
【００１１】
本発明によれば、主巻線と補助巻線のそれぞれの渡り線を絶縁体ｂに設けた翼部で保持することができ、主巻線巻装体と補助巻線巻装体も組み合わせ時の取り扱いが容易となり、加工工程における品質の向上が実現できるという効果のあるコンデンサ電動機の固定子を提供できる。
【００１２】
また、回転子の挿通孔が構造的に形成され、回転子の挿入が容易になるという効果のあるコンデンサ電動機の固定子を提供できる。
【００１３】
また、渡り線の引回し作業が容易になるとともに、確実な脱落防止が可能となるという効果のあるコンデンサ電動機の固定子を提供できる。
【００１４】
また、多種の巻線仕様に対応でき、絶縁体物の流用で部品の標準化が可能となるという効果のあるコンデンサ電動機の固定子を提供できる。
【００１５】
また、本発明によれば、巻線の巻装量が増加した場合でも巻線と分割鉄心体との絶縁距離確保が容易に行なうことができるとともに、挿入された絶縁フィルムの上下方向に形成される庇部によって、絶縁フィルムの確実な脱落防止ができるという効果のあるコンデンサ電動機の固定子を提供できる。
【００１６】
また、巻線と回転子との沿面距離が十分確保できることで絶縁構造が強化されるとともに、確実な脱落防止が可能となるため、ＩＥＣ規格に準ずることができるという効果のあるコンデンサ電動機の固定子を提供できる。
【００１７】
また、絶縁体物の内壁部の高さより低く形成される段部にスロット開口楔の延設部が当接することからことから、スロット開口楔の全長を短くすることができ、使用する材料の合理化を実現することができるという効果のあるコンデンサ電動機の固定子を提供できる。
【発明を実施するための最良の形態】
【００１８】
本発明の請求項１記載の発明は、円筒状のハウジングと、このハウジング内部に嵌装される固定子と回転自在に支持される回転子とからなり、前記固定子は、磁極をなす歯部を磁路を形成する継鉄部で８個に分割して所定枚数積層固着してなる分割鉄心体を形成し、この分割鉄心体に絶縁体物を装着した上に集中巻で渡り線を介し主巻線を４個連続に直巻巻装した主巻線巻装体と、前記分割鉄心体の積層上下方向から絶縁体物を装着し、集中巻で渡り線を介し補助巻線を４個連続に直巻巻装した補助巻線巻装体とよりなり、前記４個の主巻線巻装体を環状に配列した主巻線群と、前記４個の補助巻線巻装体を環状に配列した補助巻線群とを、前記主巻線巻装体と補助巻線巻装体とが交互に環状に配列されるように組み合わせ固着し、隣接する巻線間の内周側に樹脂成型品からなるスロット開口楔と、外周側に絶縁フィルムを挿入してなるものであって、前記分割鉄心体の１個に装着する絶縁体物は、内壁部の両端部に分割鉄心体の積層方向に前記スロット開口楔が挿入できる空間部を形成するとともに外壁部の両端に分割鉄心体の積層方向に前記絶縁フィルムが挿入できる空間部を形成する絶縁体ａと、内壁部の両端部に分割鉄心体の積層方向に前記スロット開口楔が挿入できる空間部を形成するとともに外壁部の両端に分割鉄心体の積層方向に前記絶縁フィルムが挿入できる空間部を形成し、この内壁部の上部に周方向に延設する翼部を設けた絶縁体ｂとからなり、一方の巻線巻装体、たとえば主巻線巻装体の上面に絶縁体ａ、下面に絶縁体ｂを装着し、他方の巻線巻装体、たとえば補助巻線巻装体の上面に絶縁体ｂ、下面に絶縁体ａを装着するとともに各々巻線巻装体の渡り線を絶縁体ｂの翼部に係止してなる構成としたものであり、主巻線の渡り線、補助巻線の渡り線がそれぞれ絶縁体ｂの翼部に保持されることになり、主巻線巻装体と補助巻線巻装体の組み合わせ時に取り扱いが容易になり、作業の簡略化が図れるという作用を有する。
【００１９】
また、絶縁体ｂの翼部は、主巻線巻装体と補助巻線巻装体とが交互に環状に配列されるように組み合わせ固着した状態において、隣接する絶縁体ａの内壁部より外側に位置する構成としたものであり、回転子の挿通孔が構造的に形成されるという作用を有する。
【００２０】
また、絶縁体ｂの翼部に主巻線および補助巻線の渡り線を位置決め保持するために、複数個の鍵状の爪部を設けてなる構成としたものであり、渡り線の脱落が防止できるという作用を有する。
【００２１】
また、絶縁体ｂの翼部に設ける鍵状の爪部は、分割鉄心体の積層上下方向に２段以上形成し、主巻線巻装体または補助巻線巻装体に別の巻線、たとえば速調巻線を巻装する場合においてもそのそれぞれの渡り線が接触することなく位置決め保持が可能となる構成としたものであり、多種の巻線仕様に対応できる作用を有する。
【００２２】
また、絶縁体ａと絶縁体ｂのそれぞれの外壁部の両端部で分割鉄心体の積層方向上部に、挿入する絶縁フィルムの先端部が当接する庇部を設けた構成としたものであり、電動機の運転時の振動で絶縁フィルムが移動したとしても庇部によって抜け防止が確実に行なえるという作用を有する。
【００２３】
また、巻線間の内周側に挿入する樹脂成型品からなるスロット開口楔の断面形状が、隣接する絶縁体ａ、絶縁体ｂの内壁部で形成される空間部の断面形状とほぼ等しく、このスロット開口楔の長手方向両端に抜け止めとなる延設部を設けてなる構成としたものであり、絶縁距離の中でも巻線と回転子の間の沿面距離を確保でき、さらに抜け防止が確実に行なえるという作用を有する。
【００２４】
また、絶縁体ａと絶縁体ｂの内壁部の両端に分割鉄心体の積層上下方向に段部を設け、この段部に前記スロット開口楔に設ける延設部が当接する構成としたものであり、スロット開口楔の長さを最小限に形成できるという作用を有する。
【００２５】
以下、本発明の実施の形態について図面を参照しながら説明する。
【００２６】
（実施の形態１）
図１〜図１１に示すように、コンデンサ電動機３３は円筒状のハウジング３０、３１と、このハウジング３０、３１の内部に嵌装される固定子１と回転自在に支持される回転子３２とからなる。この固定子１は、磁極をなす歯部３を磁路を形成する継鉄部４で８個に分割して所定枚数積層固着してなる分割鉄心体２のそれぞれに、絶縁体ａ１６と絶縁体ｂ２１装着し、主巻線５および補助巻線９を巻装したものを環状に組付けた構成である。絶縁体ａ１６と絶縁体ｂ２１は各々が内壁部１７および外壁部１８を有する構造で樹脂材料等で一体に成型されており、前記分割鉄心体２に装着した際に、内壁部１７の両端にはスロット開口楔が挿入できる内周空間部１９と、外壁部１８の両端には絶縁フィルム１５が挿入できる外周空間部２０が形成できるようにしている。また、内壁部１７と外壁部１８の上面には、巻線の始終端を絡げ保持するピン端子（図示せず）立設するための複数の有孔状の円柱部３５を設けている。さらに、絶縁体ｂ２１の内壁部１７の上方の両側には周方向に翼部２２を延設している。
【００２７】
ここで分割鉄心体２の積層方向を上下方向とした場合、主巻線５を巻装する４個の分割鉄心体２の上面に絶縁体ａ１６を、また下面に絶縁体ｂ２１を装着し４個の主巻線巻装体７を形成する。この主巻線巻装体７を芯治具（図示せず）に機械角９０°の位置で環状に保持させ、このうち１個の主巻線巻装体７から主巻線５を集中巻で巻装を開始し、次の主巻線巻装体７には下部に位置する絶縁体ｂ２１の翼部２２に主巻線渡り線６を係止させながら引回し、連続的に４個の主巻線巻装体７に主巻線５を巻装し、１個の主巻線群８を形成する。次に、補助巻線９を巻装する４個の分割鉄心体２の上面に絶縁体ｂ２１を、下面に絶縁体ａ１６を装着し４個の補助巻線巻装体１１を形成する。この補助巻線巻装体１１を芯治具に機械角９０°の位置で環状に保持させ、このうち１個の補助巻線巻装体１１から補助巻線９を集中巻で巻装を開始し、次の補助巻線巻装体１１には上部に位置する絶縁体ｂ２１の翼部２２に補助巻線渡り線１０を係止させながら引回し、連続的に４個の補助巻線巻装体１１に補助巻線９を巻装し、１個の補助巻線群１２を形成する。続いて、この主巻線群８に対し上方より補助巻線群１２を、主巻線巻装体７と補助巻線巻装体１１が交互に配置するように組付け、環状に固着する。この組付け状態で形成される内周空間部１９にスロット開口楔を、また外周空間部２０に絶縁フィルム１５を挿入するものである。
【００２８】
上記構成において、主巻線群８と補助巻線群１２は環状配置のままで、主巻線渡り線６は分割鉄心体２の下方の絶縁体ｂ２１の翼部２２に、また補助巻線渡り線１０は分割鉄心体２の上方の絶縁体ｂ２１の翼部２２に係止されることとなる。
【００２９】
なお、ここでは分割鉄心体２の上面に絶縁体ａ１６を、下面に絶縁体ｂ２１を装着したものを主巻線巻装体７として、同じく上面に絶縁体ｂ２１を、下面に絶縁体ａ１６を装着したものを補助巻線巻装体１１としたが、主巻線５、補助巻線９を入れ替えて巻装しても作用効果に差異はない。
【００３０】
また、絶縁体ｂ２１に設ける翼部２２は、主巻線巻装体７と補助巻線巻装体１１とを交互に環状に配列されるように組み合わせ固着した状態において、隣接する絶縁体ａ１６の内壁部１７より外側でかつ外壁部１８より内側に位置する。構成とする。
【００３１】
上記構成において、固定子１を形成すると、回転子３２を挿通させるための挿通孔３４が確実に確保できることとなる。
【００３２】
また、絶縁体ｂ２１の翼部２２に複数個の鍵状の爪部２３を設けてなる構成とする。
【００３３】
上記構成において、主巻線渡り線６または補助巻線渡り線１０は隣接する翼部２２沿わせながら引回しすれば容易に爪部２３に収納でき、かつ脱落防止ができることとなる。
【００３４】
また、絶縁体ｂ２１の翼部２２に設ける複数個の鍵状の爪部２３は、分割鉄心体２の積層上下方向を上下方向としたとき、２段以上のすなわち上段爪部２３ａと下段爪部２３ｂを設けてなる構成とする。
【００３５】
上記構成において、たとえば補助巻線巻装体１１に補助巻線９とそれ以外の他の巻線、たとえば速調巻線（図示せず）を巻装する場合、それぞれの渡り線は上段爪部２３ａと下段爪部２３ｂの別々に配置できることとなる。
【００３６】
また、絶縁体ａ１６と絶縁体ｂ２１のそれぞれの外壁部１８の上方両端、つまり絶縁フィルム１５が挿入される外周空間部２０の上方に庇部２４を設けてなる構成とする。
【００３７】
上記構成において、絶縁フィルム１５は外周空間部２０の上方または下方よりやや斜め方向から挿入され、仮に電動機の運転時の振動によって絶縁フィルム１５が移動しても、その先端が庇部２４に当接することとなる。
【００３８】
また、スロット開口楔１３は樹脂材料等で成型してなるが、その反長手方向の断面形状は、隣接する歯部３の先端と絶縁体ａ１６、絶縁体ｂ２１の相互によって形成される内周空間部１９の断面形状とほぼ等しく、さらに長手方向の両端に抜け止めとなる延設部１４をも一体に成型してなり、前記内周空間部１９挿入する構成とする。
【００３９】
上記構成において、内周空間部１９は僅かな隙間を残す程度でスロット開口楔１３に埋め尽くされことになり、主巻線５および補助巻線９から回転子３２に向かってスロット開口楔１３の表面に沿った沿面距離が増大することとなる。さらに延設部１４が内壁部１７に当接することとなる。
【００４０】
また、絶縁体ａ１６と絶縁体ｂ２１のそれぞれの内壁部１７の両端にスロット開口楔１３の延設部１４が当接する段部２５を内壁部１７の上面より低い位置に設ける。
【００４１】
上記構成において、段部２５が内壁部１７より低いため、これに当接するスロット開口楔１３の全長を短くすることができる。
【産業上の利用可能性】
【００４２】
以上のように分割鉄心体に絶縁体を装着して、この絶縁体の一部に渡り線を係止させて巻線の巻装を施し、かつ巻線の内周側および外周側に挿入するスロット開口楔や絶縁フィルムの抜け止めが確実に行うことができる本発明のコンデンサ電動機の構成は、組立て作業の簡略化が必要で、また品質確保が求められる用途にも適応できる。
【図面の簡単な説明】
【００４３】
【図１】本発明の実施の形態１のコンデンサ電動機の固定子を示す平面図
【図２】同コンデンサ電動機の固定子の分割鉄心体に絶縁体ａを装着した平面図
【図３】同コンデンサ電動機の固定子の分割鉄心体に絶縁体ａを装着した斜視図
【図４】同コンデンサ電動機の固定子の分割鉄心体に絶縁体ｂを装着した平面図
【図５】同コンデンサ電動機の固定子の分割鉄心体に絶縁体ｂを装着した斜視図
【図６】同コンデンサ電動機の固定子の主巻線群を示す平面図
【図７】同コンデンサ電動機の固定子の補助巻線群を示す平面図
【図８】同コンデンサ電動機の固定子の外周空間部を示す拡大断面図
【図９】同コンデンサ電動機の固定子のスロット開口楔を示す平面図
【図１０】同コンデンサ電動機の固定子の内周空間部を示す拡大断面図
【図１１】同コンデンサ電動機の断面図
【図１２】従来のコンデンサ電動機の固定子の主巻線巻装体を示す平面図
【図１３】同コンデンサ電動機の固定子の補助巻線巻装体を示す平面図
【図１４】同コンデンサ電動機の固定子を示す平面図
【符号の説明】
【００４４】
１      固定子
２      分割鉄心体
３      歯部
４      継鉄部
５      主巻線
６      主巻線渡り線
７      主巻線巻装体
８      主巻線群
９      補助巻線
１０    補助巻線渡り線
１１    補助巻線巻装体
１２    補助巻線群
１３    スロット開口楔
１４    延設部
１５    絶縁フィルム
１６    絶縁体ａ
１７    内壁部
１８    外壁部
１９    内周空間部
２０    外周空間部
２１    絶縁体ｂ
２２    翼部
２３    爪部
２３ａ  上段爪部
２３ｂ  下段爪部
２４    庇部
２５    段部
３０    ハウジング
３１    ハウジング
３２    回転子
３３    コンデンサ電動機
３４    挿通孔
３５    円柱部
【図１】
2006101661.tif 000003
【図２】
2006101661.tif 000004
【図３】
2006101661.tif 000005
【図４】
2006101661.tif 000006
【図５】
2006101661.tif 000007
【図６】
2006101661.tif 000008
【図７】
2006101661.tif 000009
【図８】
2006101661.tif 000010
【図９】
2006101661.tif 000011
【図１０】
2006101661.tif 000012
【図１１】
2006101661.tif 000013
【図１２】
2006101661.tif 000014
【図１３】
2006101661.tif 000015
【図１４】
2006101661.tif 000016